(57)【要約】【課題】  単一の工具により光ファイバケーブルの口出しを行うことができる光ファイバケーブル口出し用工具を得る。【解決手段】  中央に光ファイバ心線７３を有し、この光ファイバ心線７３の両側にテンションメンバ７４を有する光ファイバケーブル７０から光ファイバ心線７３を口出しする際に、一端側に握持部１１を有し、この握持部１１を作業者が手で握ることにより回転軸１２回りに接近・離反する一対の棒状部材１３からなる口出し用工具１０には、一対の棒状部材１３に対向して設けられ、テンションメンバ７４と外被７５のみを切断するテンションメンバ切断部２０と、切断されたテンションメンバ７４及び外被７５を除去するテンションメンバ挟持部３０とが装備されている。【選択図】      図１
2006030579.tif 000002
【特許請求の範囲】
【請求項１】
テンションメンバを有する光ファイバケーブルから光ファイバ心線を口出しする光ファイバケーブル口出し用工具であって、
一端側に握持部を有し、この握持部を握ることにより回転軸回りに回転して接近・離反する一対の棒状部材を有し、
前記一対の棒状部材には、前記テンションメンバと外被のみを切断するテンションメンバ切断部と、切断された前記テンションメンバ及び外被を挟持して除去するためのテンションメンバ挟持部とが、各々対向して設けられていることを特徴とする光ファイバケーブル口出し用工具。
【請求項２】
前記テンションメンバ切断部の刃先が傾斜部と平坦部とを有することを特徴とする請求項１に記載の光ファイバケーブル口出し用工具。
【請求項３】
前記平坦部の幅が０．１ｍｍ以上０．３ｍｍ以下であることを特徴とする請求項２に記載の光ファイバケーブル口出し用工具。
【請求項４】
前記テンションメンバ切断部が前記光ファイバケーブルに設けられているノッチに嵌合する光ファイバケーブル位置決め用の突起を有することを特徴とする請求項１から請求項３のいずれか１項に記載の光ファイバケーブル口出し用工具。
【請求項５】
前記握持部を握ったときに前記テンションメンバ切断部の刃先同士が最初に当接することを特徴とする請求項１から請求項４のいずれか１項に記載の光ファイバケーブル口出し用工具。
【請求項６】
前記テンションメンバ挟持部に、挟持する前記光ファイバケーブルの前記光ファイバ心線位置に対応する位置に沿って溝が設けられていることを特徴とする請求項１から請求項５のいずれか１項に記載の光ファイバケーブル口出し用工具。
【請求項７】
前記一対の棒状部材に物品切断用の刃部を対向して設けたことを特徴とする請求項１から請求項６のいずれか１項に記載の光ファイバケーブル口出し用工具。
【請求項８】
前記光ファイバケーブルが首部を介して吊り線を一体的に有する場合に、前記首部を長手方向に切り裂く吊り線分離部を有することを特徴とする請求項１から請求項７のいずれか１項に記載の光ファイバケーブル口出し用工具。
【請求項９】
前記光ファイバ心線の被覆を除去する光ファイバ被覆除去部を有することを特徴とする請求項１から請求項８のいずれか１項に記載の光ファイバケーブル口出し用工具。
【請求項１０】
前記光ファイバケーブルに長手方向に沿って溝を形成する溝形成部を有することを特徴とする請求項１から請求項９のいずれか１項に記載の光ファイバケーブル口出し用工具。
【請求項１１】
前記テンションメンバ切断部、テンションメンバ挟持部、刃部、吊り線分離部及び光ファイバ被覆除去部が、クロムモリブデン鋼から形成されることを特徴とする請求項１から請求項１０のいずれか１項に記載の光ファイバケーブル口出し用工具。
【請求項１２】
請求項１から請求項１１のいずれか１項に記載の光ファイバケーブル口出し用工具を用いて光ファイバケーブルの光ファイバ心線を口出しする光ファイバケーブル口出し方法であって、
前記光ファイバケーブルの前記首部を前記吊り線分離部により長手方向に裂いて前記吊り線を分離し、分離された前記吊り線を前記刃部により切断し、前記テンションメンバ及び外被を前記テンションメンバ切断部により切断し、前記切断されたテンションメンバ及び外被を前記テンションメンバ挟持部により挟持して引き抜き、その後、光ファイバ心線の被覆を前記光ファイバ被覆除去部により除去して光ファイバを口出しすることを特徴とする光ファイバケーブル口出し用工具を用いた口出し方法。
【発明の詳細な説明】
【技術分野】
【０００１】
本発明は、光ファイバケーブル口出し用工具及びこの工具を用いた口出し方法に関し、詳述すれば、例えばドロップケーブルやインドアケーブルの光ファイバの口出しを行うための光ファイバケーブル口出し用工具及びこの工具を用いた口出し方法に関する。
【背景技術】
【０００２】
従来より、光ファイバ心線を容易に口出しすることができる光ファイバケーブルが開示されている（例えば特許文献１参照）。
この公報に記載された光ファイバケーブル１００は、図１７に示すように、外側に２本のテンションメンバ１０１を有し、中央に複数の光ファイバ心線１０２、１０２を横方向に一列に並べて被覆層１０３で覆った構成である。そして、各テンションメンバ１０１、１０１から中央の光ファイバ心線１０２、１０２に向かって途中まで被覆層１０３の一部に空隙１０４を設けて、被覆層１０３に亀裂を生じ易くしている。
【０００３】
つまり、光ファイバ心線１０２を口出しする際には、まずテンションメンバ１０１の真横から両外側の被覆層１０３をカッタ等の切削工具で切除し、両テンションメンバ１０１を外側に引き出す。これにより被覆層１０３の外側から空隙１０４までが切り裂かれるので、被覆層１０３の左右両端部付近をさらに上下方向に引き開く。この結果、空隙１０４から光ファイバ心線１０２に向かって被覆層１０３に亀裂が走ることになるので、最後に被覆層１０３を上下に引っ張って分離する。これにより、光ファイバ心線１０２が容易に露出できる。
【０００４】
【特許文献１】特開２００１−３３７２５６号公報（図１）
【発明の開示】
【発明が解決しようとする課題】
【０００５】
ところで、被覆層１０３から取り出されたテンションメンバ１０１や、不図示の吊り線が一体的に設けられたドロップケーブルの場合には、これらのテンションメンバ１０１や吊り線を切断するために、被覆層１０３の切除に用いたカッタ等とは別の工具を用いる必要がある。このため、複数の工具を用いて口出し作業を行わなければならず、作業が煩雑になるという不都合があった。また、専用の工具を用いていないので、光ファイバを傷つける虞があった。
【０００６】
本発明の目的は、単一工具により容易、且つ、安全確実に光ファイバケーブルの口出しを行うことができる光ファイバケーブル口出し用工具及びこの工具を用いた口出し方法を提供することにある。
【課題を解決するための手段】
【０００７】
上述した目的を達成するために、本発明に係る光ファイバケーブル口出し用工具は、テンションメンバを有する光ファイバケーブルから光ファイバ心線を口出しする光ファイバケーブル口出し用工具であって、一端側に握持部を有し、この握持部を握ることにより回転軸回りに回転して接近・離反する一対の棒状部材を有し、前記一対の棒状部材には、前記テンションメンバと外被のみを切断するテンションメンバ切断部と、切断された前記テンションメンバ及び外被を挟持して除去するためのテンションメンバ挟持部とが、各々対向して設けられていることを特徴とする。
【０００８】
光ファイバケーブルから光ファイバ心線を口出しする際に、握持部を操作して、一対の棒状部材に設けられたテンションメンバ切断部によって、テンションメンバと外被のみを切断する。切断されたテンションメンバ及び外被は、テンションメンバ挟持部によって挟持して引き抜くことにより除去できる。
【０００９】
また、本発明にかかる光ファイバケーブル口出し用工具は、前記テンションメンバ切断部の刃先が傾斜部と平坦部とを有することを特徴とする。
【００１０】
刃先の傾斜部の先端に平坦部を設けることにより、テンションメンバのような硬いものを切断する際に、刃こぼれを防止することができる。
【００１１】
また、本発明にかかる光ファイバケーブル口出し用工具は、前記平坦部の幅が０．１ｍｍ以上０．３ｍｍ以下であることを特徴とする。
【００１２】
刃先の平坦部が狭すぎると刃こぼれを起こすし、広すぎると切断が困難になる。このため、平坦部の幅を０．１ｍｍ以上０．３ｍｍ以下とすることにより、テンションメンバがピアノ線のように硬い場合においても、刃こぼれを防止することができ好適である。
【００１３】
また、本発明にかかる光ファイバケーブル口出し用工具は、前記テンションメンバ切断部が前記光ファイバケーブルに設けられているノッチに嵌合する光ファイバケーブル位置決め用の突起を有することを特徴とする。
【００１４】
位置決め用の突起を光ファイバケーブルに設けられているノッチに嵌合させることにより、光ファイバケーブルの位置決めを容易に行うことができる。
【００１５】
また、本発明にかかる光ファイバケーブル口出し用工具は、前記握持部を握ったときに前記テンションメンバ切断部の刃先同士が最初に当接することを特徴とする。
【００１６】
テンションメンバ切断部の刃先同士が最初に当接するので、確実にテンションメンバの切断を行うことができる。
【００１７】
また、本発明にかかる光ファイバケーブル口出し用工具は、前記テンションメンバ挟持部に、挟持する前記光ファイバケーブルの前記光ファイバ心線位置に対応する位置に沿って溝が設けられていることを特徴とする。
【００１８】
テンションメンバ挟持部により光ファイバケーブルを挟持した際に、光ファイバケーブルに含まれる光ファイバ心線が溝の位置に位置するので、光ファイバ心線に作用する押圧力を低減することができる。
【００１９】
また、本発明にかかる光ファイバケーブル口出し用工具は、前記一対の棒状部材に物品切断用の刃部を対向して設けたことを特徴としてもよい。
【００２０】
光ファイバケーブルが架線用の吊り線を有する場合には、物品切断用の刃部により、吊り線を切断することができるので、単一の口出し用工具により、テンションメンバ及び外被の切断に加えて吊り線を切断することができる。また、その他の線材等の切断を行うこともできる。
【００２１】
また、本発明にかかる光ファイバケーブル口出し用工具は、  前記光ファイバケーブルが首部を介して吊り線を一体的に有する場合に、前記首部を長手方向に切り裂く吊り線分離部を有することを特徴としている。
【００２２】
光ファイバケーブルが吊り線を有したドロップケーブルの場合は、吊り線分離部により、光ファイバケーブルの首部を長手方向に切り裂くことで、吊り線をケーブル本体部より分離することができるので、単一の口出し用工具により、テンションメンバ及び外被の切断の外に、吊り線の分離を容易、且つ、安全確実に行うことができる。
【００２３】
また、本発明にかかる光ファイバケーブル口出し用工具は、前記光ファイバ心線の被覆を除去する光ファイバ被覆除去部を有することを特徴としてもよい。
【００２４】
光ファイバ被覆除去部により光ファイバを覆っている被覆を挟んで、除去することができるので、単一の口出し用工具により、テンションメンバや外被及び吊り線の切断・分離を行うことができるとともに、光ファイバの被覆の除去を容易、且つ、安全確実に行うことができる。
【００２５】
前記光ファイバケーブルに長手方向に沿って溝を形成する溝形成部を有することを特徴とする。
【００２６】
光ファイバケーブルの外被を切り裂くための溝が、予め光ファイバケーブルの長手方向に沿って外被に形成されていない場合に、溝形成部により溝を形成することができる。
【００２７】
また、本発明にかかる光ファイバケーブル口出し用工具は、前記テンションメンバ切断部、テンションメンバ挟持部、刃部、吊り線分離部及び光ファイバ被覆除去部が、クロムモリブデン鋼から形成されることを特徴としてもよい。
【００２８】
クロムモリブデン鋼を用いることで、加工性に優れるとともに、高硬度な特性を有する製品を高精度に製作することができる。
【００２９】
また、本発明にかかる光ファイバケーブル口出し用工具を用いた口出し方法は、光ファイバケーブル口出し用工具を用いて光ファイバケーブルの光ファイバ心線を口出しする光ファイバケーブル口出し方法であって、光ファイバケーブルの首部を吊り線分離部により長手方向に裂いて吊り線を分離し、分離された前記吊り線を刃部により切断し、前記テンションメンバ及び外被をテンションメンバ切断部により切断し、前記切断されたテンションメンバ及び外被をテンションメンバ挟持部により挟持して引き抜き、その後、光ファイバ心線の被覆を光ファイバ被覆除去部により除去して光ファイバを口出しすることを特徴とする。
【００３０】
光ファイバケーブルにおける一連の口出し工程を、単一の光ファイバケーブル口出し用工具を用いて容易、且つ、安全確実に行うことができるので、作業効率を向上することができる。
【発明の効果】
【００３１】
本発明にかかる光ファイバケーブル口出し用工具によれば、光ファイバケーブルにおける一連の口出し工程を、単一の工具を用いて行うことができて、口出し作業の効率向上を図ることができる。
【発明を実施するための最良の形態】
【００３２】
以下、本発明に係る好適な実施の形態を図面に基づいて詳細に説明する。
図１は本発明に係る光ファイバケーブル口出し用工具の一実施の形態を示す平面図、図２はその一部底面図、図３は中心における一部断面図、図４は一方の側から見た斜視図、図５は他方の側から見た斜視図、図６（Ａ）は光ファイバケーブル（光ドロップケーブル）の斜視図、（Ｂ）は同図（Ａ）のＢ−Ｂ線での断面図である。
【００３３】
図１〜図５には、本発明の一実施の形態に係る光ファイバケーブル口出し用工具（以後、単に「口出し用工具」という。）１０が示されている。
この工具１０は、例えば光ファイバケーブルとして、図６に示す光ドロップケーブル７０の口出し用に好適な専用工具である。
光ドロップケーブル７０は、図６（Ｂ）に示すように、光ファイバ７１の外周囲に被覆７２を施した光ファイバ心線７３の両側にテンションメンバ７４を配置し、更にこれらを外被７５で一括して覆って断面矩形状に形成したケーブル本体部７６を有する。また、ケーブル本体部７６の上下面中央には、各々Ｖ溝状のノッチ７６ａが形成されている。更に、ケーブル本体部７６には、架空用の吊り線７７が首部７５ａを介して一体的に装備されている。
なお、図６（Ｂ）では、光ファイバ心線７３として単心線を示したが、複数本の光ファイバ心線を横一列に配列した多心のテープ心線としたものもある。また、ノッチ７６ａが形成されていないケーブル本体部７６を加工する場合には、後述する溝形成部によりノッチ７６ａを形成する場合もある。
【００３４】
口出し用工具１０は、図１〜図５に示すように、一端側に握持部１１を有し、この握持部１１を手で握ることにより回転軸１２回りに接近・離反する一対の棒状部材１３、１３を装備する。一対の棒状部材１３、１３の間にはスプリング１４が介装されており、常時は両棒状部材１３、１３は互いに離反するようになっている。握持部１１には、ゴム等の滑り止めを取り付けられていると好ましい。
【００３５】
棒状部材１３，１３の回転軸１２を中心とした反握持部側（図１での左側）には、光ドロップケーブル７０におけるテンションメンバ７４及び外被７５のみを切断するテンションメンバ切断部２０が装備されている。
また、回転軸１２を中心とした握持部１３側（同図での右側）には、テンションメンバ切断部２０によって切断したテンションメンバ７４及び外被７５を挟持することで、これらをケーブル本体部７６から除去可能なテンションメンバ挟持部３０が装備されている。
【００３６】
また、一対の棒状部材１３、１３の反握持部側の先端には物品切断用の刃部４０が形成されている。
更に、一対の棒状部材１３、１３には、光ドロップケーブル７０の首部７５ａを長手方向に切り裂いて吊り線７７をケーブル本体部７６から分離するための吊り線分離部５０と、光ファイバ心線７３の被覆７２を除去して光ファイバ７１を露出させるための光ファイバ被覆除去部６０（共に、図３参照）とがそれぞれ設けられている。さらに、ノッチ７６ａが形成されていないケーブル本体部７６を加工するために、矩形状のケーブル本体部７６にノッチ７６ａを形成する不図示の溝形成部が形成してあると好ましい。
なお、上記のテンションメンバ切断部２０、テンションメンバ挟持部３０、刃部４０、吊り線分離部５０及び光ファイバ被覆除去部６０を装備した本実施の形態の口出し用工具１０は、加工性に優れるとともに、高硬度特性を有するクロムモリブデン鋼から形成されている。
【００３７】
以下、上記各部について更に詳述する。
テンションメンバ切断部２０は、図１に示すように、上下一対のテンションメンバ切断刃２１、２１を備えた構成とされ、テンションメンバ切断刃２１、２１が、図１２（Ａ）に示すように、棒状部材１３、１３に対しボルト２２により交換自在に取り付けられる。テンションメンバ切断刃２１の刃先には、図１２（Ｃ）に示すように、０．１ｍｍ以上０．３ｍｍ以下の幅Ｂの平坦部２１ｂが設けられており、テンションメンバ７４のような硬いものを切断する際に、刃こぼれを防止することができるようになっている。なお、この平坦部２１ｂは、握持部１１を握った際に、最初に当接するようになっており、確実にテンションメンバ７４を切断することができるようになっている。
また、このテンションメンバ切断刃２１の先端中央には、光ファイバ心線７３を傷つけないように退避させる切欠き２３が形成されている。従って、図１２（Ｂ）に示すように、対向した両テンションメンバ切断刃２１は、互いに当接した切断状態において、光ファイバ心線７３を切欠き２３内部に収容して非切断状態にする一方、光ファイバ心線７３周りのテンションメンバ７４及び外被７５を同時に切断できる。なお、切欠き２３の大きさや形状は、光ファイバ心線７３の心数等によって異なるので、テンションメンバ切断刃２１は、光ファイバ心線７３に合わせて交換される。
【００３８】
なお、テンションメンバ切断刃２１を装備する棒状部材１３の部位には、図５（Ａ）に示すように、光ドロップケーブル７０のケーブル本体部７６を位置決めするための凹部２４が設けられており、凹部２４の中央部には、図５（Ｂ）に示すように、ケーブル本体部７６のノッチ７６ａに嵌合してケーブル本体部７６の位置決めを行う突起２５が設けられている。
従って、テンションメンバ７４及び外被７５を切断する際、棒状部材１３の凹部２４に光ドロップケーブル７０のケーブル本体部７６を位置決めするとともにノッチ７６ａに突起２５を嵌合させて位置決めすることにより、光ファイバ心線７３がテンションメンバ切断刃２１の切欠き２３に位置するように位置決めする。これにより、棒状部材１３の握持部１１を操作することによって、光ファイバ心線７３を傷つけずにテンションメンバ７４及び外被７５のみを同時に切断することができる。
【００３９】
テンションメンバ挟持部３０は、図３及び図４に示すように、線材を上下方向より挟み付ける押え部材３１が上下の棒状部材１３、１３の側面にそれぞれ取り付けられた構成で、各押え部材３１の対向面には細かな凹凸３２が多数設けられている。押え部材３１の押え面の中央部には、挟持する光ドロップケーブル７０の長手方向に沿うように溝３３が設けられている。溝３３は、光ドロップケーブル７０の光ファイバ心線７３位置に対応する位置に沿って、心線外径より若干大きい溝幅で設けられている。
このようなテンションメンバ挟持部３０は、図１３（Ａ）（Ｂ）に示すように、テンションメンバ７４及び外被７５が切断された光ドロップケーブル７０に沿って配置し、上下の押え部材３１の凹凸３２で光ドロップケーブル７０のケーブル本体部７６を挟んで、ケーブル本体部７６を相対的に矢印方向へ移動させることにより、切断されたテンションメンバ７４及び外被７５を残して、光ファイバ心線７３を引き抜くことができるものである。このとき、挟持されたケーブル本体部７６の光ファイバ心線７３の上下に溝３３が位置するので、光ファイバ心線７３に作用する押圧力を低減することができる。
【００４０】
刃部４０は、図１に示すように、上下の棒状部材１３の先端内側に刃４１が設けられた構成で、通常のニッパーと同様の形状をなしており、物品等の切断には、両方の刃４１が衝接して行われる。
【００４１】
吊り線分離部５０は、光ドロップケーブル７０の首部７５ａを長手方向に沿って切り裂くことにより、吊り線７７をケーブル本体部７６から切り離し可能にするものである。
この吊り線分離部５０は、図３及び図５に示すように、棒状部材１３におけるテンションメンバ挟持部３０とは反対側の側面に装備されて、切削刃５１が他方の棒状部材１３に向けて突出して、他方の棒状部材１３の貫通穴５２に貫入する構成である。切削刃５１は山形状をしており、両側の傾斜部に刃部を形成している。従って、光ドロップケーブル７０の長手方向の移動に対し、どちら方向への移動でも切断することができるようになっている。なお、一方の棒状部材１３には、切削刃５１を保護すると共に光ドロップケーブル７０をガイドするため全体Ｌ字状にしたガイド部材５３が、ねじ５４（共に、図８参照）によって交換自在に取り付けられている。
【００４２】
従って、吊り線分離部５０は、図７及び図８に示すように、光ドロップケーブル７０に沿って配置した状態で、光ドロップケーブル７０の首部７５ａを切削刃５１及び貫通穴５２の位置に位置決めし、握持部１１を握って一対の棒状部材１３、１３を互いに接近させると、切削刃５１が首部７５ａを貫通し貫通穴５２に入り込む。この状態で、光ドロップケーブル７０と工具１０とを相対的に引っ張ると、切削刃５１は首部７５ａを長手方向に切り裂いて、吊り線７７とケーブル本体部７６とを分離する。
また、吊り線分離部５０に不図示の溝形成部を設けることができる。溝形成部は、上下一対の刃を有しており、その間に光ケーブル本体部７６を挟んで引っ張ることにより、本体部７６の上下面にノッチ７６ａを形成することができる。なお、吊り線分離部５０と溝形成部を口出し用工具１０の同じ側に設ける場合には、操作時に光ドロップケーブル７０が干渉しないようにそれぞれの軸線が工具内で交わらないようにしておくのが好ましい。
【００４３】
光ファイバ被覆除去部６０は、図３〜図５に示すように、一対の棒状部材１３、１３に各基台６１、６１を装備した構成で、各基台６１にはＶ字状の刃からなる被覆剥き刃６２が設けられている。被覆剥き刃６２は、図４では、１枚の被覆剥き刃６２が基台６１に１対設けられており、図５では、２枚ずつの被覆剥き刃６１、６１が基台６１に１対設けられている。これら上下の棒状部材１３、１３に設けられた各被覆剥き刃６２は、棒状部材１３、１３が互いに接近するように握られると、２枚の被覆剥き刃６１間に１枚の被覆剥き刃６２が入り込んた噛み合わせ状態になされる。また、各基台６１、６１の端部には、図４に示すように、後述するアダプタ７８を位置規制するための凹部６３が設けられている。
【００４４】
なお、各棒状部材１３、１３を完全に接近させて上側の被覆剥き刃６１と下側の被覆剥き刃６１、６１とを噛み合わせた状態でも、Ｖ字の先端部には光ファイバ７１の外径と略等しい大きさの空間が形成されるようになっており、光ファイバ心線７３を被覆剥き刃６１で挟んだ状態で光ファイバ心線７３を引き抜くと、光ファイバ７１の回りの被覆７２が除去されて光ファイバ７１が口出しされるようになっている。
【００４５】
次に、図６〜図１５に基づいて、本発明に係る光ファイバケーブル口出し用工具を用いた光ファイバ心線７３の口出し方法について説明する。
【００４６】
図６（Ａ）及び（Ｂ）には、口出しを行うための光ファイバケーブルとして、架空用の光ドロップケーブル７０が示されている。光ドロップケーブル７０は、この状態ではまだ口出し加工が行われていないので、光ファイバ心線７３の両側にテンションメンバ７４が配置されて外被７５で覆ったケーブル本体部７６と、吊り線７７とが首部７５ａを介して一体的に装備されている。
【００４７】
次いで、図７に示すように、口出し用工具１０の吊り線分離部５０を用いて、吊り線７７をケーブル本体部７６から切り離す。この際、図８（Ａ）に示すように、首部７５ａを切削刃５１と貫通穴５２との間に位置決めしてから、作業者は１対の棒状部材１３、１３の握持部１１、１１を握って、図８（Ｂ）に示すように、切削刃５１を首部７５ａに貫通させる。この状態で、光ドロップケーブル７０を図７の矢印方向に引いて、首部７５ａを長手方向に切り裂く。これにより、光ドロップケーブル７０は、図９（Ａ）及び（Ｂ）に示すように、吊り線７７がケーブル本体部７６から分離される。なお、ケーブル本体部７６にノッチ７６ａが設けられていない場合には、不図示の溝形成部の上下の刃で挟んで引っ張ることによりノッチ７６ａを形成する。
【００４８】
分離された吊り線７７は、図１０に示すように、口出し用工具１０の刃部４０により切断する。吊り線７７が切除されたケーブル本体部７６は、図１１に示すように、テンションメンバ切断部２０によって、１対のテンションメンバ７４、７４及び外被７５を切断する。
すなわち、作業者は、ケーブル本体部７６を棒状部材１３の凹部２４に位置決めするとともに突起２５をノッチ７６ａに嵌合させて光ファイバ心線７３を中心に位置決めする。これにより、光ファイバ心線７３はテンションメンバ切断刃２１の切欠き２３に位置決めされるので、１対の棒状部材１３、１３の握持部１１、１１を握持操作して、テンションメンバ切断刃２１、２１でテンションメンバ７４、７４及び外被７５を一度に切断する。なお、このとき、光ファイバ心線７３は、テンションメンバ切断刃２１の切欠き２３に入るので、切断されない。また、上下のテンションメンバ切断刃２１同士が最初に当接するようになっているので、テンションメンバ７４および外被７５を確実に切断することができる。さらに、上下のテンションメンバ切断刃２１の刃先には平坦部２１ｂが設けられているので、テンションメンバ７４のような硬いものを切断しても刃こぼれを防止することができる。
【００４９】
続いて、図１３（Ａ）及び（Ｂ）に示すように、テンションメンバ７４及び外被７５が切断された光ドロップケーブル７０のケーブル本体部７６を、テンションメンバ挟持部３０で挟んで、ケーブル本体部７６と工具１０とを相対的に矢印方向へ移動することで、切断したテンションメンバ７４及び外被７５を残して、光ファイバ心線７３を引き抜いて、ケーブル本体部７６より光ファイバ心線７３を取り出す。
すなわち、テンションメンバ挟持部３０の１対の押え部材３１、３１でテンションメンバ７４及び外被７５を挟んで、ケーブル本体部７６を相対的に引き離す。このとき、外被７５等は、押え部材３１の凹凸３２によりしっかりとつかまれているので、容易に光ファイバ心線７３を引き抜くことができる。このとき、光ファイバ心線７３は、テンションメンバ挟持部３０の押え部材３１に設けられている溝３３位置に位置するので、挟持した際の押圧力を低減することができる。
【００５０】
続いて、光ドロップケーブル７０は、図１４に示すように、テンションメンバ７４及び外被７５が切断されて、光ファイバ心線７３が引き抜かれたケーブル本体部７６の端部に、アダプタ７８を取り付ける。
そして、最後に、図１５（Ａ）及び（Ｂ）に示すように、引き出された光ファイバ心線７３のアダプタ７８を、光ファイバ被覆除去部６０の基台６１に設けられている凹部６３に載せて位置決めした状態で、光ファイバ心線７３を被覆剥き刃６２で挟んで引き抜く。これにより、光ファイバ心線７３を覆っている被覆７２は、図１６に示すように、除去されて光ファイバ７１を露出する。
【００５１】
以上に説明したとおり、この光ファイバケーブル口出し用工具１０及びこの工具を用いた口出し方法では、光ドロップケーブル７０から光ファイバ７１を口出しする一連の工程を、単一の光ファイバケーブル口出し用工具１０のみで実施できるので、作業効率の向上を図ることができる。
【００５２】
なお、本発明の光ファイバケーブル口出し用工具１０及びこの工具を用いた口出し方法は、前述した実施の形態に限定されるものでなく、適宜な変形，改良等が可能である。
例えば、前述した実施の形態においては、吊り線７７を備えた架空用の光ドロップケーブル７０の口出しについて説明したが、吊り線７７を有しないインドアケーブル等にも適用することができる。この場合には、吊り線７７の切断・除去の工程が必要でないことは言うまでもない。
【図面の簡単な説明】
【００５３】
【図１】本発明の一実施の形態に係る光ファイバケーブル口出し用工具の平面図である。
【図２】図１の一部底面図である。
【図３】図１の光ファイバケーブル口出し用工具の中心における一部断面図である。
【図４】（Ａ）は図１の光ファイバケーブル口出し用工具の一方側から見た斜視図、（Ｂ）は押え部材の拡大平面図である。
【図５】（Ａ）は図１の光ファイバケーブル口出し用工具の他方側から見た斜視図、（Ｂ）は凹部の拡大断面図である。
【図６】光ファイバケーブルを示す図で、（Ａ）は斜視図、（Ｂ）は断面図である。
【図７】吊り線の分離工程を説明する図である。
【図８】吊り線の分離工程を説明する図で、（Ａ）は分離前の断面図、（Ｂ）は分離時の断面図である。
【図９】吊り線分離の様子を示す図で、（Ａ）は分離前の図、（Ｂ）は（Ａ）のＢ−Ｂ線における断面図である。
【図１０】吊り線切断工程を示す図で、（Ａ）は吊り線分離前の図、（Ｂ）は（Ａ）のＢ−Ｂ線における図である。
【図１１】テンションメンバ及び外被の切断工程を示す図である。
【図１２】テンションメンバ及び外被の切断工程を説明するための図で、（Ａ）は図１１のXIIＡ方向から見たテンションメンバ切断刃の正面図、（Ｂ）は図１１のXII−XII線における断面図、（Ｃ）は刃先の拡大図である。
【図１３】切断されたテンションメンバ及び外被を引き抜く工程を示す図で、（Ａ）は引き抜き前の図、（Ｂ）は引き抜き時の図である。
【図１４】アダプタを取り付けた状態の図である。
【図１５】光ファイバ心線の被覆を除去する工程を示す図で、（Ａ）は被覆除去前の図、（Ｂ）は（Ａ）のＢ−Ｂ線における断面図である。
【図１６】口出しが完了した様子を示す図である。
【図１７】従来の光ファイバケーブルの一例を示す図である。
【符号の説明】
【００５４】
１０  光ファイバケーブル口出し用工具
１１  握持部
１２  回転軸
１３  棒状部材
２０  テンションメンバ切断部
２１ａ  傾斜部
２１ｂ  平坦部（刃先）
２５  突起
３０  テンションメンバ挟持部
３３  溝
４０  刃部
５０  吊り線分離部
６０  光ファイバ被覆除去部
７０  光ドロップケーブル（光ファイバケーブル）
７２  被覆
７３  光ファイバ心線
７４  テンションメンバ
７５  外被
７５ａ  首部
７６ａ  ノッチ
７７  吊り線
【図１】
2006030579.tif 000003
【図２】
2006030579.tif 000004
【図３】
2006030579.tif 000005
【図４】
2006030579.tif 000006
【図５】
2006030579.tif 000007
【図６】
2006030579.tif 000008
【図７】
2006030579.tif 000009
【図８】
2006030579.tif 000010
【図９】
2006030579.tif 000011
【図１０】
2006030579.tif 000012
【図１１】
2006030579.tif 000013
【図１２】
2006030579.tif 000014
【図１３】
2006030579.tif 000015
【図１４】
2006030579.tif 000016
【図１５】
2006030579.tif 000017
【図１６】
2006030579.tif 000018
【図１７】
2006030579.tif 000019